【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
移動通信ネットワークを制御する方法であって、当該方法は、ユーザ機器デバイス（ＵＥ）によるデータの送信に従って、前記移動通信ネットワーク内の複数の受信ポイントにより送信される受信品質測定報告であって、前記送信の受信に対応する受信品質測定報告に応答して、前記複数の受信ポイントの各々が前記ユーザ機器デバイスからの送信に関して、次の受信品質測定報告及びペイロードデータ報告のうちの少なくとも１つに関する参加動作を示すべく構成されるように、前記移動通信ネットワーク内に前記複数の受信ポイントを、アップリンク制御エンティティにより構成することを含み、前記参加動作は、前記受信品質測定報告に依存する、
方法。
【請求項２】
前記受信品質測定報告の参加動作は、条件付きの報告及び無条件の報告のうちの１つであり、前記ペイロードデータ報告の参加動作は、データを転送しない又は格納しない、データを格納するが明示的要求なくデータを転送しない、条件付きデータ転送、及びデータ転送のうちの１つである、
請求項１に記載の方法。
【請求項３】
受信品質測定報告の条件付き送信の参加動作の構成は、受信品質測定のための少なくとも１つの閾値に基づく少なくとも１つのコンディションを含む、
請求項２に記載の方法。
【請求項４】
条件付きデータ転送の参加動作の構成は、受信品質測定のための閾値と、前記ユーザ機器デバイスから受信されたデータを復号する試みの結果を示す復号結果とのうちの少なくとも１つを示す少なくとも１つのコンディションを含む、
請求項２又は請求項３に記載の方法。
【請求項５】
前記受信品質測定報告に応答して、前記移動通信ネットワーク内の個別の受信ポイントは、受信品質測定報告だけを送信するように構成される、
請求項１から請求項４のいずれか一項に記載の方法。
【請求項６】
１又は複数の選択された受信ポイントは、ユーザ機器デバイスから受信されたデータをバッファリングし、前記アップリンク制御エンティティからのコマンドを受け取り次第、前記バッファリングされたデータだけを転送するように構成される、
請求項１又は請求項５に記載の方法。
【請求項７】
前記複数の受信ポイントの１又は複数は、ユーザ機器デバイスから受信されたデータを復号しないように構成される、
請求項１から請求項６のいずれか一項に記載の方法。
【請求項８】
前記移動通信ネットワークは、少なくとも１つのユーザ機器デバイスに同期して同一データを送信する複数の送信ポイントを有し、それにより単一周波数ネットワークを形成する、
請求項１から請求項７のいずれか一項に記載の方法。
【請求項９】
選択された前記複数の受信ポイントは、前記受信している複数の受信ポイントのうちの任意の特定の受信ポイントに対する信号についての適応なしで、ユーザ機器デバイスにより送信された共通信号から、前記ユーザ機器デバイスから受信された前記データを受信する、
請求項１から請求項８のいずれか一項に記載の方法。
【請求項１０】
移動通信ネットワークにおけるアップリンクトラフィックを制御するためのネットワーク機器エンティティであって、前記ネットワーク機器エンティティは、ユーザ機器デバイス（ＵＥ）によるデータの送信に従って、前記移動通信ネットワークの複数の受信ポイントから受信品質測定報告を受信し、応答して、前記ユーザ機器デバイスから受信されたデータを転送し、受信品質測定報告を送信すべく前記複数の受信ポイントを構成するように配置され、前記複数の受信ポイントの各々は、前記ユーザ機器デバイスからの送信に関して、次の受信品質測定報告及びペイロードデータ報告のうちの少なくとも１つに関する参加動作を示すように構成され、前記参加動作は、前記受信品質測定報告に依存し、異なる受信ポイントは、前記ユーザ機器デバイスからのデータ信号を受信する選択された受信ポイントだけが前記データを転送するが、他の受信ポイントは、受信品質報告だけを送信するように異なって構成される、
ネットワーク機器エンティティ。
【請求項１１】
前記ネットワーク機器エンティティは、選択された受信ポイントが前記ユーザ機器デバイスから受信されたデータをバッファリングして、コマンドを受け取り次第、前記データだけを転送するように配置されるように指示する、
請求項１０に記載のネットワーク機器エンティティ。
【請求項１２】
前記ネットワーク機器エンティティは、前記複数の受信ポイントのうち選択されたものが前記ユーザ機器デバイスから受信されたデータ信号を復号しないように命令するように配置される、
請求項１０又は請求項１１に記載のネットワーク機器エンティティ。
【請求項１３】
ユーザ機器（ＵＥ）からデータ信号を受信し、受信された前記データ信号の受信品質を測定するように配置される移動通信ネットワークの受信ポイントであって、前記受信ポイントは、アップリンク制御エンティティに受信品質測定報告を送信し、前記ユーザ機器からの送信に関して次の受信品質測定報告及びペイロードデータ報告のうちの少なくとも１つに関する参加動作を実装すべく、前記アップリンク制御エンティティから構成メッセージを受信するようにさらに配置され、前記参加動作は、前記受信品質測定報告に依存し、前記構成メッセージは、前記ユーザ機器から受信されたデータの受信品質測定報告を、前記データを除いて送信するように前記受信ポイントに命令し得る、
移動通信ネットワークの受信ポイント。
【請求項１４】
前記受信ポイントは、前記受信ポイントに対する信号についての特別な適応なしで前記ユーザ機器により送信される共通信号から前記データ信号を受信する、
請求項１３に記載の移動通信ネットワークの受信ポイント。
【請求項１５】
前記受信ポイントは、前記アップリンク制御エンティティからコマンドを受け取り次第、前記ユーザ機器から受信された前記データをバッファリングし、前記アップリンク制御エンティティからさらなるコマンドを受け取り次第、そのようなデータだけを転送するように配置される、
請求項１３又は請求項１４に記載の移動通信ネットワークの受信ポイント。
【手続補正２】
【補正対象書類名】明細書
【補正対象項目名】００６２
【補正方法】変更
【補正の内容】
【００６２】
ＳＦＮに配備された場合、本発明に説明されるコントローラ３２は、単一又は複数のＵＥのＵＬデータの転送における受信ポイントの参加及び関与を制御するＳＦＮコントローラの一部であり得る。また、ＳＦＮコントローラは、例えば、ＳＦＮによりサービス提供される単一又は複数のＵＥへのＤＬデータ伝送における送信ポイントの参加及び関与の制御として他の機能を有する。
［項目１］
移動通信ネットワークを制御する方法であって、当該方法は、アップリンク制御エンティティを備え、ユーザ機器デバイスによるデータの送信に従って、上記移動通信ネットワーク内の複数の受信ポイントにより送信される受信品質測定報告であって、上記送信の受信に対応する受信品質測定報告に応答して、上記複数の受信ポイントの各々が、上記ユーザ機器デバイスからの送信に関して、次の測定報告及びペイロード報告のうちの少なくとも１つに関する参加動作を示すべく構成されるように上記移動通信ネットワーク内に上記複数の受信ポイントを構成し、上記参加動作は、上記受信品質測定報告に依存する、方法。
［項目２］
上記測定報告の参加動作は、条件付きの報告及び無条件の報告のうちの１つであり、上記ペイロード報告の参加動作は、データを転送しない又は格納しない、データを格納するが明示的要求なくデータを転送しない、条件付きデータ転送、及びデータ転送のうちの１つである、
項目１に記載の方法。
［項目３］
品質測定報告の条件付き送信の参加動作の構成は、受信品質測定のための少なくとも１つの閾値に基づく少なくとも１つのコンディションを含む、
項目２に記載の方法。
［項目４］
条件付きデータ転送の参加動作の構成は、受信品質測定のための閾値と、上記ユーザ機器デバイスから受信されたデータを復号する試みの結果を示す復号結果とのうちの少なくとも１つを示す少なくとも１つのコンディションを含む、
項目２に記載の方法。
［項目５］
上記受信品質測定報告に応答して、上記移動通信ネットワーク内の個別の受信ポイントは、受信品質測定報告だけを送信するように構成される、
項目１に記載の方法。
［項目６］
１又は複数の選択された受信ポイントは、ユーザ機器デバイスから受信されたデータをバッファリングし、上記アップリンク制御エンティティからのコマンドを受け取り次第、バッファデータだけを転送する、
項目１又は項目５に記載の方法。
［項目７］
上記複数の受信ポイントの１又は複数は、ユーザ機器デバイスから受信されたデータを復号しないように構成される、
項目１から６のいずれか一項に記載の方法。
［項目８］
上記移動通信ネットワークは、少なくとも１つのユーザ機器デバイスに同期して同一データを送信する複数の送信ポイントを有し、それにより単一周波数ネットワークを形成する、
項目１から７のいずれか一項に記載の方法。
［項目９］
選択された上記複数の受信ポイントは、上記ユーザ機器デバイスにより送信された共通信号から、上記共通信号の受信している受信ポイントの任意の特定の受信ポイントへの適応なく、上記ユーザ機器デバイスから受信されたデータを受信する、
項目１に記載の方法。
［項目１０］
移動通信ネットワークにおけるアップリンクトラフィックを制御するためのネットワーク機器エンティティであって、上記エンティティは、ユーザ機器デバイスによるデータの送信に従って、上記移動通信ネットワークの複数の受信ポイントから受信品質測定報告を受信し、応答して、上記ユーザ機器デバイスから受信されたデータを転送し、受信品質測定報告を送信すべく上記複数の受信ポイントを構成するように配置され、上記複数の受信ポイントの各々は、上記ユーザ機器デバイスからの送信に関して、次の測定報告及びペイロード報告のうちの少なくとも１つに関する参加動作を示し、上記参加動作は、上記受信品質測定報告に依存し、異なる受信ポイントは、上記ユーザ機器デバイスからのデータ信号を受信する選択された受信ポイントだけがデータを転送するが、他の受信ポイントは、受信品質報告だけを送信するように異なって構成される、
ネットワーク機器エンティティ。
［項目１１］
上記エンティティは、選択された受信ポイントが上記ユーザ機器デバイスから受信されたデータをバッファリングして、コマンドを受け取り次第、上記データだけを転送するように配置されるように指示する、
項目１０に記載のネットワーク機器エンティティ。
［項目１２］
上記エンティティは、上記複数の受信ポイントのうち選択されたものが上記ユーザ機器デバイスから受信されたデータ信号を復号しないように命令するように配置される、
項目１０又は項目１１に記載のネットワーク機器エンティティ。
［項目１３］
ユーザ機器デバイスからデータ信号を受信し、受信された上記データ信号の受信品質を測定するように配置される移動通信ネットワークの受信ポイントであって、上記受信ポイントは、アップリンク制御エンティティに受信品質測定報告を送信し、上記ユーザ機器デバイスからの送信に関して次の測定報告及びペイロード報告のうちの少なくとも１つに関する参加動作を実装すべく、上記アップリンク制御エンティティから構成メッセージを受信するようにさらに配置され、上記参加動作は、上記受信品質測定報告に依存し、上記構成メッセージは、上記ユーザ機器デバイスから受信されたデータの受信品質測定報告を、上記データを除いて送信するように上記受信ポイントに命令し得る、
移動通信ネットワークの受信ポイント。
［項目１４］
上記受信ポイントは、上記データ信号の上記受信ポイントに対する特定の適応なく、上記ユーザ機器デバイスにより送信される共通信号から上記データ信号を受信する、
項目１３に記載の移動通信ネットワークの受信ポイント。
［項目１５］
上記受信ポイントは、上記アップリンク制御エンティティからコマンドを受け取り次第、上記ユーザ機器デバイスから受信された上記データをバッファリングし、上記アップリンク制御エンティティからさらなるコマンドを受け取り次第、そのようなデータだけを転送するように配置される、
項目１３に記載の移動通信ネットワークの受信ポイント。
［項目１６］
複数の送信ポイント及び複数の受信ポイントと、アップリンク制御エンティティを有するネットワーク機器とを備える移動通信ネットワークであって、上記複数の受信ポイントはそれぞれ、ユーザ機器デバイスから受信されたデータに応答して上記アップリンク制御エンティティに受信品質測定報告を送信するように配置され、上記アップリンク制御エンティティは、上記ユーザ機器デバイスからの送信に関する次の測定報告及びペイロード報告のうちの少なくとも１つに関する参加動作を示すべくその受信ポイントから受信された上記受信品質測定報告に応答して各々の受信ポイントを構成するように配置され、上記参加動作は、上記複数の受信ポイントのうち選択されたものが上記ユーザ機器デバイスから受信されたデータを転送し、他の受信ポイントがさらなる受信品質測定報告だけを送信するように、上記受信品質測定報告に依存する、
移動通信ネットワーク。
［項目１７］
受信ポイントは、上記アップリンク制御エンティティからの対応する構成メッセージを受け取り次第、上記ユーザ機器デバイスから受信されたデータをバッファリングし、上記アップリンク制御エンティティからの対応するコマンドを受け取り次第、上記データだけを転送するように配置される、
項目１６に記載の移動通信ネットワーク。
［項目１８］
多様な上記複数の送信ポイントが、上記ユーザ機器デバイスに同期して同一データを送信し、それにより単一周波数ネットワークを形成する、
項目１６に記載の移動通信ネットワーク。